(57)【要約】【課題】本発明は、データの記録再生の最中であるか否かを確認することができるドライブ装置を提供する。【解決手段】本発明は、カートリッジスロットＤＳへ記録ディスクカートリッジ１００を挿入する時に傾倒し、カートリッジスロットＤＳから記録ディスクカートリッジ１００を抜いた時に起立してカートリッジスロットＤＳを開閉する回動自在な蓋部３０を備え、蓋部３０の一部を切り欠いて切欠部３１を設け、カートリッジスロットＤＳに記録ディスクカートリッジ１００が挿入された状態で少なくとも切欠部３１にから外部に臨む状態にアクセス用表示部２１を設けた。【選択図】図１
2007172684.tif 000002
【特許請求の範囲】
【請求項１】
記録ディスクカートリッジを抜き挿しするカートリッジスロットが設けられた筐体と、前記カートリッジスロットへ前記記録ディスクカートリッジを挿入する時に傾倒し、前記カートリッジスロットから前記記録ディスクカートリッジを抜いた時に起立して前記カートリッジスロットを開閉する回動自在な蓋部と、を備えたドライブ装置であって、
前記蓋部の一部を切り欠いて設けた切欠部と、
前記カートリッジスロットに前記記録ディスクカートリッジが挿入された状態で少なくとも前記切欠部から外部に臨む状態に設けられたアクセス用表示部と、
を具備したことを特徴とするドライブ装置。
【請求項２】
前記アクセス用表示部は、前記筐体内に設けられた光源に繋がれたライトパイプで構成されていることを特徴とする請求項１に記載のドライブ装置。
【請求項３】
前記アクセス用表示部には、前記記録ディスクカートリッジの挿入時に傾倒した前記蓋部を逃がすための凹部が形成されていることを特徴とする請求項１または請求項２に記載のドライブ装置。
【発明の詳細な説明】
【技術分野】
【０００１】
本発明は、記録ディスクメディアを収容する記録ディスクカートリッジに対してデータの記録、再生を行うドライブ装置に関する。
【背景技術】
【０００２】
従来、ポリエステルシートなどからなる円盤状の支持体の両面に磁性層を形成したフレキシブルな磁気ディスクメディアや、光記録ディスクメディア、相変化ディスクメディアなどの記録ディスクメディアをカートリッジケースに収容した記録ディスクカートリッジが知られている。これらの記録ディスクメディアは、年々、高密度記録化されており、その記録トラック幅はより狭くなってきていると共にその記録長はより短くなってきている。
【０００３】
このような記録ディスクカートリッジに対してデータの記録、再生を行うドライブ装置としては、例えば、特許文献１に記載されたものが知られている。このドライブ装置は、記録ディスクカートリッジが装着できる装着空間と、この装着空間に記録ディスクカートリッジが装着された時に記録ディスクメディアを回転させる駆動手段と、記録ディスクメディアにアクセスする読み書きヘッドと、この読み書きヘッドを駆動するヘッド駆動装置とを備えて構成されている。
【特許文献１】特表２００２−５０３８６５号公報
【発明の開示】
【発明が解決しようとする課題】
【０００４】
ところで、前記従来のドライブ装置は、アクセス状態を表示するためのアクセス用表示部が設けられていなかったため、データの記録再生の最中に記録ディスクカートリッジを抜き挿しすることへの警告を行うことができず、その抜き挿しによってはデータを破損するおそれがあった。
【０００５】
このような背景に鑑みて本発明がなされたのであり、本発明は、データの記録再生の最中であるか否かを確認することができるドライブ装置を提供することを課題とする。
【課題を解決するための手段】
【０００６】
本発明に係るドライブ装置は、記録ディスクカートリッジを抜き挿しするカートリッジスロットが設けられた筐体と、前記カートリッジスロットへ前記記録ディスクカートリッジを挿入する時に傾倒し、前記カートリッジスロットから前記記録ディスクカートリッジの抜いた時に起立して前記カートリッジスロットを開閉する回動自在な蓋部と、を備えたドライブ装置であって、前記蓋部の一部を切り欠いて設けた切欠部と、前記カートリッジスロットに前記記録ディスクカートリッジが挿入された状態で少なくとも前記切欠部から外部に臨む状態に設けられたアクセス用表示部と、を具備したことを特徴とする。
【０００７】
かかる構成によれば、蓋部の一部を切り欠いて切欠部が設けられ、この切欠部から外部に臨む状態にアクセス用のアクセス用表示部が設けられているので、このアクセス用表示部の点灯を目視確認することにより、ドライブ装置がデータの記録再生の最中であるか否かを確認することができる。
しかも、アクセス用表示部は、カートリッジスロットに記録ディスクカートリッジが挿入された状態で少なくとも切欠部から外部に臨む状態に設けられているので、カートリッジスロットに記録ディスクカートリッジが挿入されて蓋部が傾倒した際にも蓋部に隠れることがなく、アクセス用表示部の点灯を目視確認することができる。
【０００８】
また、前記アクセス用表示部は、前記筐体内に設けられた光源に繋がれたライトパイプで構成されるのがよい。
【０００９】
かかる構成によれば、光源を蓋部の切欠部に直接臨ませる必要がなくなり、設計の自由度を高めることができる。特に、記録ディスクカートリッジを抜き挿しする操作に伴って蓋部が傾倒、起立する構成において、蓋部の近くに光源を設けた場合には蓋部の回動操作により蓋部に光源が干渉するおそれがあるため、このようなライトパイプで光源に繋ぐ構成とすることにより、蓋部の開閉の自由度を高めることができる。
【００１０】
また、前記アクセス用表示部には、前記記録ディスクカートリッジの挿入時に傾倒した前記蓋部を逃がすための凹部が形成されている構成とするのがよい。
【００１１】
かかる構成によれば、記録ディスクカートリッジの挿入時に傾倒した蓋部がアクセス用表示部に干渉することが回避され、蓋部の開閉動作を確保しつつ、アクセス用表示部を通じてドライブ装置のアクセス状態を確認することができる。
【発明の効果】
【００１２】
本発明によれば、データの記録再生の最中であるか否かを確認することができるドライブ装置が得られる。
【発明を実施するための最良の形態】
【００１３】
次に、本発明を実施するための最良の形態について、適宜図面を参照しながら説明する。参照する図面において、図１は本実施形態に係るドライブ装置を蓋体を外して上方から見下ろした斜視図である。図２は図１のドライブ装置に記録ディスクカートリッジを挿入して蓋体を外したときの平面図である。図３は図１のドライブ装置に記録ディスクカートリッジを挿入して正面から見たときの拡大正面図、図４は図３のＡ−Ａ断面における蓋体の回動を示した図であり、（ａ）は記録ディスクカートリッジの非挿入時を示す断面図、（ｂ）は記録ディスクカートリッジの挿入時を示す断面図である。なお、本実施形態において方向を説明する場合は、図１に示す前、後、右、左、上、下を基準として説明する。また、図１には、ドライブ装置に装着する記録ディスクカートリッジをともに描いている。
【００１４】
まず、本実施形態に係るドライブ装置についての説明に先立ち、ドライブ装置に装着されて使用される記録ディスクカートリッジについて簡単に説明する。
【００１５】
図１に示すように、記録ディスクカートリッジ１００は、カートリッジケース１１０と、このカートリッジケース１１０の内部に回動可能に配置されたロータリシャッタ１２０と、このロータリシャッタ１２０の内部に回転自在に配置された記録ディスクメディアＤＭとを主に備えて構成されている。
【００１６】
カートリッジケース１１０は、薄型の箱状体であって、ドライブ装置ＤのカートリッジスロットＤＳに挿入される側に、くさび状に切り欠かれたアクセス用開口部１１１を有している。このアクセス用開口部１１１を介して、後記するドライブ装置Ｄのヘッド５が記録ディスクメディアＤＭにアクセスすることとなる。
カートリッジケース１１０の下面には、その左側寄りに円弧状のガイド溝１１２が穿設されている。このガイド溝１１２は、後記するロータリシャッタ１２０のシャッタノブ１２２の軌道に沿うように所定の曲率で形成されている。
【００１７】
ロータリシャッタ１２０は、その外形が略円盤形状を有する中空構造体であって、カートリッジケース１１０のアクセス用開口部１１１と略同形状のくさび状の切欠部１２１を有している。このロータリシャッタ１２０は、カートリッジケース１１０に回動自在に取り付けられている。そして、ロータリシャッタ１２０の下面には、シャッタノブ１２２が突設されている。このシャッタノブ１２２は、カートリッジケース１１０のガイド溝１１２を介して、記録ディスクカートリッジ１００の下面から突き出ている。
【００１８】
このような記録ディスクカートリッジ１００では、ドライブ装置Ｄに装着される前にあっては、ロータリシャッタ１２０が閉位置に配置される。つまり、ロータリシャッタ１２０の切欠部１２１とカートリッジケース１１０のアクセス用開口部１１１とがずれて配置される。このときシャッタノブ１２２は、カートリッジケース１１０のガイド溝１１２の後側に位置する。
そして、シャッタノブ１２２がガイド溝１１２内を前側に向かって円弧状の軌道を描きながら移動すると、この移動に伴って、ロータリシャッタ１２０は回動する。このようにロータリシャッタ１２０が回動してカートリッジケース１１０のアクセス用開口部１１１とロータリシャッタ１２０の切欠部１２１とが重なり合うことで、記録ディスクメディアＤＭが外部に臨むこととなる。つまり、ロータリシャッタ１２０は、開位置に配置される。このときシャッタノブ１２２は、カートリッジケース１１０のガイド溝１１２の前側に位置する。
【００１９】
また、記録ディスクカートリッジ１００がドライブ装置Ｄに装着される際には、後記するようにシャッタノブ１２２がガイド溝１１２内を前側に向かって円弧状の軌道を描きながら移動する。そして、この移動に伴って、ロータリシャッタ１２０が回動することでカートリッジケース１１０のアクセス用開口部１１１とロータリシャッタ１２０の切欠部１２１とが重なり合う。その結果、記録ディスクメディアＤＭが外部に臨むこととなる。つまり、ロータリシャッタ１２０は、開位置に配置されて、後記するドライブ装置Ｄのヘッド５が記録ディスクメディアＤＭにアクセス可能となる。このときシャッタノブ１２２は、カートリッジケース１１０のガイド溝１１２の前側に位置する。そして、ドライブ装置Ｄのスピンドルモータ３の回転軸４が記録ディスクメディアＤＭのハブ１２３に装着されることで、記録ディスクメディアＤＭが回転可能となる。
【００２０】
次に、本実施形態に係るドライブ装置Ｄについて説明する。
図１に示すように、ドライブ装置Ｄは、平面視で矩形の薄型の箱状体（筐体）であって、その前側に記録ディスクカートリッジ１００を抜き挿しするカートリッジスロットＤＳが形成されている。筐体を構成するケーシング１は、本体１ａと蓋体１ｂとから構成され、その内部に後記する各部品を格納するとともに、記録ディスクカートリッジ１００を収容する収容空間２を有している。
【００２１】
本体１ａには、カートリッジスロットＤＳを開閉する蓋部３０が設けられている。蓋部３０は、図４（ａ）及び（ｂ）に示すように、ケーシング１の開口縁に回動軸３２を中心として回動自在に設けられており、カートリッジスロットＤＳへの記録ディスクカートリッジ１００の挿入時に傾倒（図４（ｂ）参照）してカートリッジスロットＤＳを開き、カートリッジスロットＤＳから記録ディスクカートリッジ１００を抜いた時に起立（図４（ａ）参照）してカートリッジスロットＤＳを閉じるようになっている。
【００２２】
蓋部３０には、図２，図３に示すように、その右端部に切欠部３１が設けられており、この切欠部３１から外部に臨む状態に、本実施形態のドライブ装置Ｄの特徴的構成であるアクセス用表示部としてのライトパイプ２１が設けられている。ライトパイプ２１は、図４（ａ）及び（ｂ）に示すように、側面視で凹状に形成されており、その後方（図４（ａ）及び（ｂ）において左側）に、ライトパイプ２１に光を供給するための光源２０が配置されている。光源２０としては、消費電力が小さく所定の光量が得られるＬＥＤ（Light Emitting Diodes）等の発光体が用いられている。このような光源２０は、本体１ａのベース部１０（図２参照）に取り付けられた基板１１に実装され、データの記録再生動作に応じて駆動電力の供給を受けることで発光する。
【００２３】
ライトパイプ２１の前記した凹部２２は、図４（ｂ）に示すように、記録ディスクカートリッジ１００の挿入によって傾倒した蓋部３０の逃げ部として機能する。これにより、蓋部３０は、後方へ向けて水平に近い状態に倒れ込むようになっている。なお、図２に示すように、ライトパイプ２１の凹部２２内には、蓋部３０の切欠部３１よりも上の部分全体（右端部）３０ｂが位置するようになっている。
【００２４】
また、ドライブ装置Ｄの後端には下面側に複数の端子Ｔが設けられている。この端子Ｔは、ドライブ装置Ｄが着脱自在に取り付けられた電子機器（図示省略）との間で電気的な接続を確立するものである。ドライブ装置Ｄは、この端子Ｔを介して、記録ディスクメディアＤＭと、電子機器との間での情報の受け渡し、および受け取りを行うこととなる。そして、この端子Ｔを介してドライブ装置Ｄに電力が供給されることとなる。ちなみに、電子機器としては、ＣＰＵ（Central Processing Unit）やメモリを備えたものであれば特に制限はなく、例えば、パーソナルコンピュータ、プリンタ、複写機等の事務機器、デジタルカメラ、テレビ、録音装置、録画装置、冷蔵庫、電子レンジ等の家電製品が挙げられる。
【００２５】
このようなドライブ装置Ｄの収容空間２内には、ドライブ装置Ｄに装着された記録ディスクメディアＤＭを高速回転させるスピンドルモータ３と、記録ディスクメディアＤＭに対する情報の記録および再生を行うヘッド５と、このヘッド５を先端に取り付けるとともに支軸６の周りに揺動してヘッド５を記録ディスクメディアＤＭの半径方向に移動させるスイングアームＳＡと、スイングアームＳＡを所定の揺動角で位置決めするアクチュエータ７と、スイングアームＳＡを所定の位置に待機させるランプ部８と、記録ディスクカートリッジ１００の係止排出を行うための係止排出機構９等が設けられている。
【００２６】
次に、本実施形態に係るドライブ装置の動作について適宜図面を参照しながら説明しつつ、ドライブ装置Ｄの作用効果について説明する。
記録ディスクカートリッジ１００をドライブ装置Ｄに挿入する際には、記録ディスクカートリッジ１００の後部を直接に蓋部３０に押し当てながら、カートリッジスロットＤＳに押し込むように挿入する。すると、蓋部３０が記録ディスクカートリッジ１００の底部１００ａに押されて、図４（ｂ）に示すように傾倒する。このとき、ライトパイプ２１の凹部２２に蓋部３０の右端部３０ｂが位置する。記録ディスクカートリッジ１００が挿入されると、ドライブ装置Ｄ内のロック解除ピン（図示省略）により、ロータリシャッタ１２０のロックが解除され、シャッタノブ１２２がガイド溝１１２内を前側に向かって円弧状の軌道を描きながら移動する。そして、この移動に伴って、ロータリシャッタ１２０が回動してカートリッジケース１１０のアクセス用開口部１１１とロータリシャッタ１２０の切欠部１２１とが重なり合い、記録ディスクメディアＤＭがアクセス用開口部１１１に露出する。
【００２７】
記録ディスクカートリッジ１００がドライブ装置Ｄの所定の位置まで挿入されると、ドライブ装置Ｄの係止排出機構９により記録ディスクカートリッジ１００が係止されるとともに、スピンドルモータ３の回転軸４が記録ディスクメディアＤＭのハブ１２３に装着される。
そして、ドライブ装置Ｄのスピンドルモータ３が駆動され、回転軸４を介してハブ１２３に回転力が伝達されて記録ディスクメディアＤＭが回転を開始し、スイングアームＳＡのヘッド５が、アクセス用開口部１１１に移動して、記録ディスクメディアＤＭに対し記録再生が行われる。
【００２８】
このとき、図示しない制御部から基板１１に光源２０を駆動するための信号が送られ、光源２０が発光する。そうすると、光源２０からの光がライトパイプ２１の後端部に照射され、ライトパイプ２１の前端部２１ａから光が出力される。ライトパイプ２１の前端部２１ａは、蓋部３０が傾倒した状態で切欠部３１から外部に臨む状態に設けられているので、使用者は、ライトパイプ２１の点灯を目視することでヘッド５のアクセス状態を確認することができる。例えば、図５に示すように、ドライブ装置Ｄがコンピュータ装置ＰＣのカードスロットＣＳに装着されて使用される場合には、コンピュータ装置ＰＣからの命令によって、データの記録再生動作に応じ、光源２０が発光するようになっている。
【００２９】
なお、使用後は、記録ディスクカートリッジ１００の端部を再度押圧すると係止排出機構９の係止が解除され、記録ディスクカートリッジ１００がドライブ装置Ｄから排出される。カートリッジスロットＤＳから記録ディスクカートリッジ１００が排出されると、蓋部３０は、図示しないばね等による付勢力によって、起立位置に回動され（図４（ａ）参照）、カートリッジスロットＤＳを閉じる。
【００３０】
以上説明した本実施形態のドライブ装置Ｄによれば、蓋部３０の一部（右端部）を切り欠いて設けた切欠部３１から外部に臨むように、光源２０からの光を出力するライトパイプ２１が設けられているので、このライトパイプ２１の点灯を目視確認することにより、ドライブ装置Ｄがデータの記録再生の最中であるか否かを確認することができる。
しかも、ライトパイプ２１は、カートリッジスロットＤＳに記録ディスクカートリッジ１００が挿入された状態で少なくとも切欠部３１から外部に臨む状態に設けられているので、カートリッジスロットにＤＳに記録ディスクカートリッジ１００が挿入されて蓋部３０が傾倒した際にも蓋部３０に隠れることがなく、ライトパイプ２１の点灯を目視確認することができる。
【００３１】
また、光源２０にライトパイプ２１が繋がれた構成となっているので、光源２０を蓋部３０の切欠部３１に直接配置する必要がなくなり、設計の自由度を高めることができる。特に、記録ディスクカートリッジ１００を抜き挿しする操作に伴って蓋部３０が傾倒、起立する構成であるので、蓋部３０の近くに光源２０を設けた場合には蓋部３０の回動動作により蓋部３０に光源２０が干渉するおそれがあるため、このようなライトパイプ２１で光源２０に繋ぐ構成とすることにより、蓋部３０の開閉の自由度を高めることができる。
【００３２】
また、ライトパイプ２１には、記録ディスクカートリッジ１００の挿入時に傾倒した蓋部３０の右端部３０ｂを逃がすための凹部２２が形成されているので、記録ディスクカートリッジ１００の挿入時に傾倒した蓋部３０がライトパイプ２１に干渉することが回避され、蓋部３０の開閉動作を確保しつつ、ライトパイプ２１を通じてドライブ装置Ｄのアクセス状態を確認することができる。
【００３３】
以上、本発明の好適な実施形態について説明したが、本発明は前記実施形態に限定されるものではない。
例えば、ライトパイプ２１に代えて、光ファイバ、プリズム等を用いて光源２０からの光を蓋部３０の切欠部３１に導いてもよい。また、ライトパイプ２１は、右端部に配置されるものに限られることはなく、その他の場所、例えば、中央部や左端部等において蓋部３０に切欠部を設け、その切欠部から外部に臨むように配置してもよい。
また、前記実施形態では、記録ディスクカートリッジが装着されるドライブ装置について本発明を説明したが、ＰＣカードやコンパクトフラッシュ（登録商標）サイズ等の薄形の小型ドライブに対しても好適に採用することができる。
【図面の簡単な説明】
【００３４】
【図１】本実施形態に係るドライブ装置を蓋体を外して上方から見下ろした斜視図である。
【図２】図１のドライブ装置に記録ディスクカートリッジを挿入して蓋体を外したときの平面図である。
【図３】図１のドライブ装置に記録ディスクカートリッジを挿入して正面から見たときの拡大正面図である。
【図４】図３のＡ−Ａ断面における蓋部の回動を示した図であり、（ａ）は記録ディスクカートリッジの非挿入時を示す断面図、（ｂ）は記録ディスクカートリッジの挿入時を示す断面図である。
【図５】図１のドライブ装置の使用状態を示す説明図である。
【符号の説明】
【００３５】
１      ケーシング
１ａ    本体
１ｂ    蓋体
６      支軸
１０    ベース部
１１    基板
２０    光源
２１    ライトパイプ
２２    凹部
３０    蓋部
３１    切欠部
１００  記録ディスクカートリッジ
１１０  カートリッジケース
１１１  アクセス用開口部
ＣＳ    カードスロット
Ｄ      ドライブ装置
ＤＭ    記録ディスクメディア
ＤＳ    カートリッジスロット
【図１】
2007172684.tif 000003
【図２】
2007172684.tif 000004
【図３】
2007172684.tif 000005
【図４】
2007172684.tif 000006
【図５】
2007172684.tif 000007